(57)【要約】【課題】  受信レベルに急激な変動が生じても安定にモバイル放送を受信することができ、かつ消費電力の低減化を図ったモバイル放送受信装置およびその制御方法を提供する。【解決手段】  静止軌道衛星からの放送電波若しくはギャップフィラーからの再送電波を切替え受信するモバイル放送受信装置において、モバイル放送受信装置の受信状態に応じて、低雑音増幅器（ＬＮＡ）のダイナミックレンジ、自動利得制御回路（ＡＧＣ）の時定数、アンテナダイバーシチのＯＮ、ＯＦＦの内の少なくとも１つを切替制御する。【選択図】  図１
2006279212.tif 000002
【特許請求の範囲】
【請求項１】
静止軌道衛星からの放送電波若しくはギャップフィラーからの再送電波を受信レベルに応じて切替え受信するモバイル放送受信装置において、
受信信号を低雑音増幅する低雑音増幅回路と、
前記受信レベルを検出するレベル検出手段と、
前記静止軌道衛星からの放送電波若しくはギャップフィラーからの再送電波のいずれを受信しているかを判別する受信波判別手段と、
前記レベル検出手段による検出受信レベルが予め設定されたレンジ切替レベル以下であるか、または前記受信波判別手段により前記静止軌道衛星からの放送電波を受信していると判別された場合は、前記低雑音増幅回路のダイナミックレンジを下位レンジに切り替え、前記レベル検出手段による検出受信レベルが前記レンジ切替レベルを越えており、かつ前記受信波判別手段により前記ギャップフィラーからの再送電波を受信していると判別された場合は、前記低雑音増幅回路のダイナミックレンジを上位レンジに切り替えるレンジ切替手段と
を具備することを特徴とするモバイル放送受信装置。
【請求項２】
受信信号の利得を自動制御する自動利得制御回路と、
前記静止軌道衛星からの放送電波とギャップフィラーからの再送電波との切替頻度を判別する切替頻度判別手段と、
前記切替頻度判別手段により前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替える時定数切替手段と
を更に具備することを特徴とする請求項１記載のモバイル放送受信装置。
【請求項３】
静止軌道衛星からの放送電波若しくはギャップフィラーからの再送電波を受信レベルに応じて切替え受信するモバイル放送受信装置において、
受信信号の利得を自動制御する自動利得制御回路と、
前記静止軌道衛星からの放送電波とギャップフィラーからの再送電波との切替頻度を判別する切替頻度判別手段と、
前記切替頻度判別手段により前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替える時定数切替手段と
を具備することを特徴とするモバイル放送受信装置。
【請求項４】
静止軌道衛星からの放送電波若しくはギャップフィラーからの再送電波を受信レベルに応じて切替え受信するモバイル放送受信装置において、
前記静止軌道衛星からの放送電波若しくはギャップフィラーからの再送電波を受信する第１の受信回路と、
前記静止軌道衛星からの放送電波若しくはギャップフィラーからの再送電波を受信する第２の受信回路と、
前記第１の受信回路および前記第２の受信回路の出力に応じて前記第１の受信回路の出力若しくは前記第２の受信回路の出力を選択的に切り替えるダイバーシチ回路と、
前記受信レベルを検出するレベル検出手段と、
前記静止軌道衛星からの放送電波若しくはギャップフィラーからの再送電波のいずれを受信しているかを判別する受信波判別手段と、
前記レベル検出手段による検出受信レベルが予め設定された閾値レベル以下であるか、または前記受信波判別手段により前記静止軌道衛星からの放送電波を受信していると判別された場合は、前記ダイバーシチ回路を動作状態に切り替え、前記レベル検出手段による検出受信レベルが前記閾値レベルを越えており、かつ前記受信波判別手段により前記ギャップフィラーからの再送電波を受信していると判別された場合は、前記ダイバーシチ回路を非動作状態に切り替えるダイバーシチ動作切替手段と
を具備することを特徴とするモバイル放送受信装置。
【請求項５】
前記第１の受信回路および前記第２の受信回路は、
受信信号を低雑音増幅する低雑音増幅回路と
受信信号の利得を自動制御する自動利得制御回路と
をそれぞれ具備し、
前記レベル検出手段による検出受信レベルが予め設定されたレンジ切替レベル以下であるか、または前記受信波判別手段により前記静止軌道衛星からの放送電波を受信していると判別された場合は、前記低雑音増幅回路のダイナミックレンジを下位レンジに切り替え、前記レベル検出手段による検出受信レベルが前記レンジ切替レベルを越えており、かつ前記受信波判別手段により前記ギャップフィラーからの再送電波を受信していると判別された場合は、前記低雑音増幅回路のダイナミックレンジを上位レンジに切り替えるレンジ切替手段と
ことを特徴とする請求項４記載のモバイル放送受信装置。
【請求項６】
前記静止軌道衛星からの放送電波とギャップフィラーからの再送電波との切替頻度を判別する切替頻度判別手段と、
前記切替頻度判別手段により前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替える時定数切替手段と
を更に具備することを特徴とする請求項５記載のモバイル放送受信装置。
【請求項７】
前記第１の受信回路および前記第２の受信回路は、
受信信号を低雑音増幅する低雑音増幅回路と
受信信号の利得を自動制御する自動利得制御回路と
をそれぞれ具備し、
前記静止軌道衛星からの放送電波とギャップフィラーからの再送電波との切替頻度を判別する切替頻度判別手段と、
前記切替頻度判別手段により前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替える時定数切替手段と
を更に具備することを特徴とする請求項４記載のモバイル放送受信装置。
【請求項８】
受信信号を低雑音増幅する低雑音増幅回路と、受信信号の利得を自動制御する自動利得制御回路とを有し、静止軌道衛星からの放送電波若しくはギャップフィラーからの再送電波を受信レベルに応じて切替え受信するモバイル放送受信装置の制御方法において、
前記静止軌道衛星からの放送電波若しくはギャップフィラーからの再送電波のいずれを受信しているかを判別し、
前記受信レベルが予め設定されたレンジ切替レベル以下であるか、または前記静止軌道衛星からの放送電波を受信していると判別された場合は、前記低雑音増幅回路のダイナミックレンジを下位レンジに切り替え、前記受信レベルが前記レンジ切替レベルを越えており、かつ前記ギャップフィラーからの再送電波を受信していると判別された場合は、前記低雑音増幅回路のダイナミックレンジを上位レンジに切り替える
ことを特徴とするモバイル放送受信装置の制御方法。
【請求項９】
前記静止軌道衛星からの放送電波とギャップフィラーからの再送電波との切替頻度を判別し、
前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替える
ことを特徴とする請求項８記載のモバイル放送受信装置の制御方法。
【請求項１０】
第１の受信回路と、第２の受信回路と、前記第１の受信回路および前記第２の受信回路の出力に応じて前記第１の受信回路の出力若しくは前記第２の受信回路の出力を選択的に切り替えるダイバーシチ回路とを有し、静止軌道衛星からの放送電波若しくはギャップフィラーからの再送電波を受信レベルに応じて切替え受信するモバイル放送受信装置の制御方法において、
前記静止軌道衛星からの放送電波若しくはギャップフィラーからの再送電波のいずれを受信しているかを判別し、
前記受信レベルが予め設定された閾値レベル以下であるか、または前記静止軌道衛星からの放送電波を受信していると判別された場合は、前記ダイバーシチ回路を動作状態に切り替え、前記受信レベルが前記閾値レベルを越えており、かつ前記ギャップフィラーからの再送電波を受信していると判別された場合は、前記ダイバーシチ回路を非動作状態に切り替える
ことを特徴とするモバイル放送受信装置の制御方法。
【請求項１１】
前記第１の受信回路および前記第２の受信回路は、受信信号を低雑音増幅する低雑音増幅回路と、受信信号の利得を自動制御する自動利得制御回路とをそれぞれ具備し、
前記受信レベルが予め設定されたレンジ切替レベル以下であるか、または前記静止軌道衛星からの放送電波を受信していると判別された場合は、前記低雑音増幅回路のダイナミックレンジを下位レンジに切り替え、前記受信レベルが前記レンジ切替レベルを越えており、かつ前記ギャップフィラーからの再送電波を受信していると判別された場合は、前記低雑音増幅回路のダイナミックレンジを上位レンジに切り替える
ことを特徴とする請求項１０記載のモバイル放送受信装置の制御方法。
【請求項１２】
前記静止軌道衛星からの放送電波とギャップフィラーからの再送電波との切替頻度を判別し、
前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替える
ことを特徴とする請求項１１記載のモバイル放送受信装置の制御方法。
【発明の詳細な説明】
【技術分野】
【０００１】
この発明は、静止軌道衛星からの放送電波若しくはギャップフィラーからの再送電波を受信レベルに応じて切替え受信するモバイル放送受信装置およびその制御方法に関し、特に、低雑音増幅器（ＬＮＡ）のダイナミックレンジ、自動利得制御回路（ＡＧＣ）の時定数、アンテナダイバーシチのＯＮ、ＯＦＦを適正に切替制御することにより画像乱れ等からの復帰を早くし、かつ消費電力の低減化を図ったモバイル放送受信装置およびその制御方法に関する。
【背景技術】
【０００２】
モバイル放送は、移動中の車内や屋外などでも鮮明な映像を受信することができる新しい衛星放送サービスの１つである。
【０００３】
このモバイル放送においては、基本的は静止軌道衛星からの放送電波を受信して映像等の再生を行うが、静止軌道衛星からの放送電波が直接届かない場所における受信を可能にするために、静止軌道衛星からの放送電波を受信して再送電波を発するギャップフィラーと呼ばれる地上再送装置が設けられている。
【０００４】
ギャップフィラーは、静止軌道衛星からの放送電波が直接届かない場所、例えばビルの陰となる場所等に設置される。
【０００５】
このような構成によると、このモバイル放送を受信するモバイル放送受信装置は、静止軌道衛星から直接送信される放送電波とギャップフィラーから送信される再送電波とを切替え受信することで、移動中の車内や屋外などでも鮮明な映像を受信することが可能になる。
【０００６】
この種の装置としては、特許文献１に記載された衛星移動体放送システムが知られている。
【特許文献１】特開２００４−３１２３４９号公報
【発明の開示】
【発明が解決しようとする課題】
【０００７】
モバイル放送は、静止軌道衛星からＣＤＭ（符号分割多重）電波を送信し、受信側では、このＣＤＭ電波をアンテナで受信し、この受信信号を低雑音増幅器（ＬＮＡ）、自動利得制御回路（ＡＧＣ）を含むＲＦモジュール、復調モジュール、復号モジュールを経由して処理することで、受信映像、音声の再生および保存を行うことができる。
【０００８】
一方、ギャップフィラーは、静止軌道衛星の電波不感地帯をカバーすべく、地上の建物屋上等に設置され、衛星からの放送電波をこのギャップフィラーが受信し、振幅増幅させて再送信する。
【０００９】
静止軌道衛星から直接送信される放送電波とギャップフィラーから送信される再送電波とを切替え受信するモバイル放送受信装置においては、上記静止軌道衛星からの放送電波とギャップフィラーからの再送電波と受信レベルに応じて選択して受信することになるが、実フィールドにおいては、約３６０００Ｋｍ上空の静止軌道衛星からの放送電波の地上での受信レベルと、地上に設置されたギャップフィラーからの再送電波との受信レベルでは、双方に差が生じる。
【００１０】
モバイル放送受信装置を携帯するユーザは、静止軌道衛星には近づくことができないが、ギャップフィラーには近づくことができるため、ギャップフィラーからの再送電波（ギャップフィラー波）の方が受信レベルの変化は激しい。
【００１１】
すなわち、静止軌道衛星からの放送電波（衛星波）の受信レベルは常に低いが、ギャップフィラー波はギャップフィラーに近づくと受信レベルが高くなる。
【００１２】
例えば、図９に示すように、ビル９−１〜９−８からなるビル群の間をモバイル放送受信装置を携帯したユーザが移動した場合を考える。
【００１３】
ここで、ビル９−１の屋上にギャップフィラー９１が配設されているとする。
【００１４】
この状態において、静止軌道衛星９０は、このビル群に対して十分遠方に位置するので、この静止軌道衛星９０からの衛星波は、このビル群に対して一定の方向から届き、この衛星波の受信レベルは常に低い。
【００１５】
これに対して、ギャップフィラー９１からのギャップフィラー波は、モバイル放送受信装置とギャップフィラー９１との距離に応じて変化する。
【００１６】
図１０は、図９に示した電界強度分布のフィールドをモバイル放送受信装置を携帯したユーザが地点Ａ、地点Ｂ、地点Ｃの順で移動した場合におけるモバイル放送受信装置の受信レベルの一例を示す図である。
【００１７】
ユーザが地点Ａから地点Ｂまで移動する間は、ユーザが携帯するモバイル放送受信装置とギャップフィラー９１との距離は、遠いので、平均的にはギャップフィラー波 ＜ 衛星波の関係が成立する（領域Ｒ１）。
【００１８】
これに対して、ユーザが地点Ｂから地点Ｃに移動すると、ユーザが携帯するモバイル放送受信装置がギャップフィラー９１に近づくのギャップフィラー波は急激に大きくなり、平均的にギャップフィラー波 ＞ 衛星波の関係が成立する（領域Ｒ３）。
【００１９】
また、地点Ｂの付近では、平均的にギャップフィラー波と衛星波とが略等しくなるという関係が成立する（領域Ｒ２）。
【００２０】
ここで、領域Ｒ１や領域Ｒ３においては、地物等の影響でフェージング、シャドーイングが発生して実際には受信レベルが変動するが、ギャップフィラー波と衛星波のレベルの大小関係が逆転する可能性は低い。
【００２１】
また、領域Ｒ３においては、モバイル放送受信装置とギャップフィラー９１との距離が近いので、ギャップフィラー波は、比較的安定している。
【００２２】
それに引き換え領域Ｒ２の場合は、ギャップフィラー波と衛星波の受信レベル大小関係は、頻繁に変化する。
【００２３】
ところで、静止軌道衛星からの衛星波はレベルの変動幅が小さいが、ギャップフィラーからのギャップフィラー波はレベルの変動幅が大きい。このため衛星波およびギャップフィラー波を共通に低雑音増幅する低雑音増幅器（ＬＮＡ）は、ダイナミックレンジの切替が行われる。
【００２４】
しかし、例えば、平均的にはギャップフィラー波 ＜ 衛星波の関係が成立する領域Ｒ１において、ノイズ等により衛星波が一時的に大きくなり、図１０に示すように、低雑音増幅回路のダイナミックレンジの設定レンジ切替レベルを越えると、この時点で低雑音増幅回路のダイナミックレンジの切替が発生し、これにより適正な復調ができなくなることがある。
【００２５】
また、例えば、平均的にギャップフィラー波と衛星波とが略等しくなるという関係が成立する領域２においては、自動利得制御回路（ＡＧＣ）の時定数によりギャップフィラー波と衛星波との迅速な切替ができなくなることがある。
【００２６】
また、例えば、アンテナダイバシチを採用する構成において、平均的にギャップフィラー波 ＞ 衛星波の関係が成立する領域Ｒ３においては、アンテナダイバシチを用いなくてもよいのにも係わらず、アンテナダイバシチ機能を動作させるとこれにより不要な電力を消費するという問題もある。
【００２７】
そこで、この発明は、受信レベルに急激な変動が生じても安定にモバイル放送を受信することができ、かつ消費電力の低減化を図ったモバイル放送受信装置およびその制御方法を提供することを目的とする。
【課題を解決するための手段】
【００２８】
この発明は、静止軌道衛星からの放送電波若しくはギャップフィラーからの再送電波を受信レベルに応じて切替え受信するモバイル放送受信装置において、低雑音増幅器（ＬＮＡ）のダイナミックレンジ、自動利得制御回路（ＡＧＣ）の時定数、アンテナダイバーシチのＯＮ、ＯＦＦの内の少なくとも１つを受信状態に対応して適正に切替制御することで、受信レベルに急激な変動が生じても安定にモバイル放送を受信することができ、かつ消費電力の低減化を図るようにしている。
【００２９】
すなわち、請求項１の発明は、静止軌道衛星からの放送電波若しくはギャップフィラーからの再送電波を受信レベルに応じて切替え受信するモバイル放送受信装置において、受信信号を低雑音増幅する低雑音増幅回路と、前記受信レベルを検出するレベル検出手段と、前記静止軌道衛星からの放送電波若しくはギャップフィラーからの再送電波のいずれを受信しているかを判別する受信波判別手段と、前記レベル検出手段による検出受信レベルが予め設定されたレンジ切替レベル以下であるか、または前記受信波判別手段により前記静止軌道衛星からの放送電波を受信していると判別された場合は、前記低雑音増幅回路のダイナミックレンジを下位レンジに切り替え、前記レベル検出手段による検出受信レベルが前記レンジ切替レベルを越えており、かつ前記受信波判別手段により前記ギャップフィラーからの再送電波を受信していると判別された場合は、前記低雑音増幅回路のダイナミックレンジを上位レンジに切り替えるレンジ切替手段とを具備することを特徴とする。
【００３０】
また、請求項２の発明は、請求項１の発明において、受信信号の利得を自動制御する自動利得制御回路と、前記静止軌道衛星からの放送電波とギャップフィラーからの再送電波との切替頻度を判別する切替頻度判別手段と、前記切替頻度判別手段により前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替える時定数切替手段とを更に具備することを特徴とする。
【００３１】
また、請求項３の発明は、静止軌道衛星からの放送電波若しくはギャップフィラーからの再送電波を受信レベルに応じて切替え受信するモバイル放送受信装置において、受信信号の利得を自動制御する自動利得制御回路と、前記静止軌道衛星からの放送電波とギャップフィラーからの再送電波との切替頻度を判別する切替頻度判別手段と、前記切替頻度判別手段により前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替える時定数切替手段とを具備することを特徴とする。
【００３２】
また、請求項４の発明は、静止軌道衛星からの放送電波若しくはギャップフィラーからの再送電波を受信レベルに応じて切替え受信するモバイル放送受信装置において、前記静止軌道衛星からの放送電波若しくはギャップフィラーからの再送電波を受信する第１の受信回路と、前記静止軌道衛星からの放送電波若しくはギャップフィラーからの再送電波を受信する第２の受信回路と、前記第１の受信回路および前記第２の受信回路の出力に応じて前記第１の受信回路の出力若しくは前記第２の受信回路の出力を選択的に切り替えるダイバーシチ回路と、前記受信レベルを検出するレベル検出手段と、前記静止軌道衛星からの放送電波若しくはギャップフィラーからの再送電波のいずれを受信しているかを判別する受信波判別手段と、前記レベル検出手段による検出受信レベルが予め設定された閾値レベル以下であるか、または前記受信波判別手段により前記静止軌道衛星からの放送電波を受信していると判別された場合は、前記ダイバーシチ回路を動作状態に切り替え、前記レベル検出手段による検出受信レベルが前記閾値レベルを越えており、かつ前記受信波判別手段により前記ギャップフィラーからの再送電波を受信していると判別された場合は、前記ダイバーシチ回路を非動作状態に切り替えるダイバーシチ動作切替手段とを具備することを特徴とする。
【００３３】
また、請求項５の発明は、請求項４の発明において、前記第１の受信回路および前記第２の受信回路は、受信信号を低雑音増幅する低雑音増幅回路と受信信号の利得を自動制御する自動利得制御回路とをそれぞれ具備し、前記レベル検出手段による検出受信レベルが予め設定されたレンジ切替レベル以下であるか、または前記受信波判別手段により前記静止軌道衛星からの放送電波を受信していると判別された場合は、前記低雑音増幅回路のダイナミックレンジを下位レンジに切り替え、前記レベル検出手段による検出受信レベルが前記レンジ切替レベルを越えており、かつ前記受信波判別手段により前記ギャップフィラーからの再送電波を受信していると判別された場合は、前記低雑音増幅回路のダイナミックレンジを上位レンジに切り替えるレンジ切替手段とことを特徴とする。
【００３４】
また、請求項６の発明は、請求項５の発明において、前記静止軌道衛星からの放送電波とギャップフィラーからの再送電波との切替頻度を判別する切替頻度判別手段と、前記切替頻度判別手段により前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替える時定数切替手段とを更に具備することを特徴とする。
【００３５】
また、請求項７の発明は、請求項４の発明において、前記第１の受信回路および前記第２の受信回路は、受信信号を低雑音増幅する低雑音増幅回路と受信信号の利得を自動制御する自動利得制御回路とをそれぞれ具備し、前記静止軌道衛星からの放送電波とギャップフィラーからの再送電波との切替頻度を判別する切替頻度判別手段と、前記切替頻度判別手段により前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替える時定数切替手段とを更に具備することを特徴とする。
【００３６】
また、請求項８の発明は、受信信号を低雑音増幅する低雑音増幅回路と、受信信号の利得を自動制御する自動利得制御回路とを有し、静止軌道衛星からの放送電波若しくはギャップフィラーからの再送電波を受信レベルに応じて切替え受信するモバイル放送受信装置の制御方法において、前記静止軌道衛星からの放送電波若しくはギャップフィラーからの再送電波のいずれを受信しているかを判別し、前記受信レベルが予め設定されたレンジ切替レベル以下であるか、または前記静止軌道衛星からの放送電波を受信していると判別された場合は、前記低雑音増幅回路のダイナミックレンジを下位レンジに切り替え、前記受信レベルが前記レンジ切替レベルを越えており、かつ前記ギャップフィラーからの再送電波を受信していると判別された場合は、前記低雑音増幅回路のダイナミックレンジを上位レンジに切り替えることを特徴とする。
【００３７】
また、請求項９の発明は、請求項８の発明において、前記静止軌道衛星からの放送電波とギャップフィラーからの再送電波との切替頻度を判別し、前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替えることを特徴とする。
【００３８】
また、請求項１０の発明は、第１の受信回路と、第２の受信回路と、前記第１の受信回路および前記第２の受信回路の出力に応じて前記第１の受信回路の出力若しくは前記第２の受信回路の出力を選択的に切り替えるダイバーシチ回路とを有し、静止軌道衛星からの放送電波若しくはギャップフィラーからの再送電波を受信レベルに応じて切替え受信するモバイル放送受信装置の制御方法において、前記静止軌道衛星からの放送電波若しくはギャップフィラーからの再送電波のいずれを受信しているかを判別し、前記受信レベルが予め設定された閾値レベル以下であるか、または前記静止軌道衛星からの放送電波を受信していると判別された場合は、前記ダイバーシチ回路を動作状態に切り替え、前記受信レベルが前記閾値レベルを越えており、かつ前記ギャップフィラーからの再送電波を受信していると判別された場合は、前記ダイバーシチ回路を非動作状態に切り替えることを特徴とする。
【００３９】
また、請求項１１の発明は、請求項１０の発明において、前記第１の受信回路および前記第２の受信回路は、受信信号を低雑音増幅する低雑音増幅回路と、受信信号の利得を自動制御する自動利得制御回路とをそれぞれ具備し、前記受信レベルが予め設定されたレンジ切替レベル以下であるか、または前記静止軌道衛星からの放送電波を受信していると判別された場合は、前記低雑音増幅回路のダイナミックレンジを下位レンジに切り替え、前記受信レベルが前記レンジ切替レベルを越えており、かつ前記ギャップフィラーからの再送電波を受信していると判別された場合は、前記低雑音増幅回路のダイナミックレンジを上位レンジに切り替えることを特徴とする。
【００４０】
また、請求項１２の発明は、請求項１１の発明において、前記静止軌道衛星からの放送電波とギャップフィラーからの再送電波との切替頻度を判別し、前記切替頻度が予め設定した閾値を越えていると判別された場合は、前記自動利得制御回路の時定数を小さい値に切り替え、前記切替頻度が前記閾値以下の場合は、前記自動利得制御回路の時定数を大きい値に切り替えることを特徴とする。
【発明の効果】
【００４１】
この発明によれば、静止軌道衛星からの放送電波若しくはギャップフィラーからの再送電波を切替え受信するモバイル放送受信装置において、モバイル放送受信装置の受信状態に応じて、低雑音増幅器（ＬＮＡ）のダイナミックレンジ、自動利得制御回路（ＡＧＣ）の時定数、アンテナダイバーシチのＯＮ、ＯＦＦの内の少なくとも１つを切替制御するように構成したので、受信波の急激なレベルが生じても安定にモバイル放送を受信することができ、画像乱れ等からの復帰を早くし、かつ消費電力の低減化を図ることができるという効果を奏する。
【発明を実施するための最良の形態】
【００４２】
以下、この発明に係わるモバイル放送受信装置およびその制御方法の実施例を添付図面を参照して詳細に説明する。
【００４３】
図１は、この発明に係わるモバイル放送受信装置の一実施例の要部を示すブロック図である。
【００４４】
図１において、このモバイル放送受信装置は、アンテナ１０で受信した無線信号を処理するＲＦ部１００およびＲＦ部１００の出力を処理するベースバンド部２００を具備して構成される。
【００４５】
ここで、ＲＦ部１００は、アンテナ１０で受信した無線信号を帯域ろ波するバンドパスフィルタ（ＢＰＦ）１１、ＢＰＦ１１の出力を低雑音増幅する低雑音増幅回路（ＬＮＡ）１２、ＬＮＡ１１の出力を自動利得制御する自動利得制御回路（ＡＧＣ）１３、ＡＧＣ１３の出力とローカル発振器１５の出力とをミキシングするミキサー回路１４、ミキサー回路１４の出力を低域ろ波するローパスフィルタ（ＬＰＦ）１６、ＬＰＦ１６の出力をアナログ／ディジタル変換するアナログ／ディジタル変換回路（Ａ／Ｄ）１７を具備している。
【００４６】
また、ベースバンド部２００は、信号処理部２１、レベル観測部２２、制御部２３を具備して構成される。
【００４７】
ここで、信号処理部２１は、Ａ／Ｄ１７の出力を入力し、受信波の受信レベルの検出、受信波が静止軌道衛星からの衛星波であるかギャップフィラーからのギャップフィラー波であるかの判別、Ａ／Ｄ１７の出力の復号、復調処理等を行う。
【００４８】
また、レベル観測部２２は、信号処理部２１で検出した受信波の受信レベルの監視を行う。
【００４９】
また、制御部２３は、Ａ／Ｄ１７の出力の復号処理のためのスクランブルコードの設定、レベル観測部２２で監視した受信波の受信レベルに基づくＬＮＡ１１のダイナミックレンジの切替制御、ＡＧＣ１３の時定数切替制御等を行う。
【００５０】
なお、制御部２３とＬＮＡ１１およびＡＧＣ１３とは、例えば、アドレスバス、データバス、チップセレクト信号線で接続されており、制御部２３によるＬＮＡ１１のダイナミックレンジの切替制御、ＡＧＣ１３の時定数切替制御を、このアドレスバスおよびチップセレクト信号線を用いてＬＮＡ１１若しくはＡＧＣ１３を選択し、この選択したＬＮＡ１１若しくはＡＧＣ１３にデータバスを経由して制御情報を送信することにより行う。
【００５１】
なお、制御部２３とＬＮＡ１１およびＡＧＣ１３とをシリアルデータ線およびシリアルクロック線で接続して同様の制御を行うように構成してもよい。
【実施例１】
【００５２】
実施例１においては、図１に示した構成において、制御部２３は、受信波の受信レベルおよび受信波が衛星波であるかギャップフィラー波であるかの情報に応じて、ＬＮＡ１１のダイナミックレンジの切替制御を行う。
【００５３】
図２は、この実施例１におけるＬＮＡ１１のダイナミックレンジの切替制御を説明する図である。
【００５４】
図２においては、図１０と同様に図９に示した電界強度分布のフィールドをモバイル放送受信装置を携帯したユーザが地点Ａ、地点Ｂ、地点Ｃの順で移動した場合におけるモバイル放送受信装置の受信レベルおよびＬＮＡ１１のダイナミックレンジの切替状態を示している。
【００５５】
この実施例１においては、受信波が衛星波であるか、または、ギャップフィラー波の受信レベルが比較的小さい状態、すなわち、モバイル放送受信装置を携帯したユーザが地点Ａから地点Ｂまで移動する間は、ＬＮＡ１１のダイナミックレンジが下位レンジに固定され、受信波がギャップフィラー波であり、かつ受信レベルが比較的大きい状態、すなわち、モバイル放送受信装置を携帯したユーザが地点Ｂから地点Ｃまで移動する間は、ＬＮＡ１１のダイナミックレンジが上位レンジに切替制御される。
【００５６】
すなわち、この実施例１においては、ＬＮＡ１１のダイナミックレンジの切り替えを受信レベルにのみ依存して制御するのではなく、受信レベルに加えて、受信波が衛星波であるかギャップフィラー波であるかに応じて、ＬＮＡ１１のダイナミックレンジを下位レベルと上位レベルで制御する。
【００５７】
ここで、特徴的なことは、衛星波を受信していると、例えば、この受信波がノイズ等によりＬＮＡ１１のダイナミックレンジの切り替えレベルであるＬＮＡを一時的に越えたとしても、ＬＮＡ１１のダイナミックレンジは、下位レベルに固定される。
【００５８】
図３は、上記実施例１における制御部２３によるＬＮＡ１１のダイナミックレンジの切替制御を示すフローチャートである。
【００５９】
図３において、図１に示したモバイル放送受信装置がモバイル放送の受信を開始すると、まず、ＬＡＮレンジフラグＬＮＡＲｅｎｇＦｌａｇをＬＮＡＲｅｎｇＦｌａｇ＝０に設定する初期化を行う（ステップ２０１）。
【００６０】
そして、制御部２３は、ＬＮＡ１１にダイナミックレンジを下位レンジに切り替える制御情報を送信してＬＮＡ１１のダイナミックレンジを下位レンジに設定する（ステップ２０２）。
【００６１】
次に、レベル観測部２２から受信レベルを検出し（ステップ２０３）、この検出した受信レベルが予め設定したＬＮＡ切替レベルを越えているかを調べる（ステップ２０４）。ここで、受信レベルが予め設定したＬＮＡ切替レベルを越えている場合は（ステップ２０４でＹＥＳ）、ＬＮＡＲｅｎｇＦｌａｇ＝０かを調べ（ステップ２０５）、ＬＮＡＲｅｎｇＦｌａｇ＝０であると（ステップ２０５でＹＥＳ）、制御部２３は、ＬＮＡ１１にダイナミックレンジを上位レンジに切り替える制御情報を送信してＬＮＡ１１のダイナミックレンジを上位レンジに設定し（ステップ２０６）、次に、新しい基地局のサーチを行う（ステップ２０７）。
【００６２】
なお、ステップ２０４で、受信レベルが予め設定したＬＮＡ切替レベル以下であると判断された場合（ステップ２０４でＮＯ）若しくはステップ２０５でＬＮＡＲｅｎｇＦｌａｇ＝０でないと判断された場合は（ステップ２０５でＮＯ）、ＬＮＡ１１のダイナミックレンジを上位レンジに切り替えることなくステップ２０７へ進む。
【００６３】
ステップ２０７の基地局サーチで、新しい基地局の切り替えがない場合は（ステップ２０８でＮＯ）、ステップ２０３に戻る。
【００６４】
ステップ２０７の基地局サーチで、新しい基地局の切り替えが生じた（ステップ２０８でＹＥＳ）、受信波が衛星波であるかギャップフィラー波であるかの判別に基づき基地局は衛星局かギャップフィラーかを調べる（ステップ２０９）。
【００６５】
ここで、基地局が衛星局であると（ステップ２０９でＹＥＳ）、ＬＮＡＲｅｎｇＦｌａｇ＝１に設定し（ステップ２１０）、基地局が衛星局でなくギャップフィラーであると（ステップ２０９でＮＯ）、ＬＮＡＲｅｎｇＦｌａｇ＝０に設定する（ステップ２１１）。
【００６６】
次に、モバイル放送の受信終了かを調べ（ステップ２１２）、モバイル放送の受信終了でないと（ステップ２１２でＮＯ）ステップ２０３に戻り、同様の処理を繰り返すが、モバイル放送の受信終了と判断されると（ステップ２１２でＹＥＳ）、このＬＮＡ１１のダイナミックレンジの切替制御を終了する。
【００６７】
この図３に示したフローチャートの処理を図２を参照して説明すると、地点ＡでＬＡＮレンジフラグをＬＮＡＲｅｎｇＦｌａｇ＝０に設定する初期化が行われ（ステップ２０１）、ＬＮＡ１１のダイナミックレンジは下位レンジに設定される（ステップ２０２）。
【００６８】
ここでは、受信レベルがＬＮＡ切替レベル以下であるので（ステップ２０４でＮＯ）、基地局サーチが行われ（ステップ２０７）、基地局は衛星局であるので（ステップ２０９でＹＥＳ）、ＬＮＡＲｅｎｇＦｌａｇ＝１に設定される（ステップ２１０）。
【００６９】
次に、ステップ２０３で受信レベル検出が行われ、ここで、受信レベルがＬＮＡ切替レベルを越えていると判断されても（ステップ２０４でＹＥＳ）、ＬＮＡＲｅｎｇＦｌａｇ＝１に設定されているので（ステップ２０５でＮＯ）、ＬＮＡ１１のダイナミックレンジは上位レンジに切り替えられない。
【００７０】
しかし、ギャップフィラー波が衛星波より大きくなり、ステップ２０９で、ＬＮＡＲｅｎｇＦｌａｇ＝０に設定され、次の受信レベル検出で（ステップ２０４）、受信レベルがＬＮＡ切替レベルを越えていると判断されてると（ステップ２０４でＹＥＳ）、ＬＮＡＲｅｎｇＦｌａｇ＝０に設定されているので（ステップ２０５でＹＥＳ）、ＬＮＡ１１のダイナミックレンジは上位レンジに切り替え設定される（ステップ２０６）。
【００７１】
つまり、ＬＮＡ１１のダイナミックレンジは、受信波が衛星波であるか、または、受信レベルがＬＮＡ切替レベル以下である場合は、下位レンジに固定され、受信波がギャップフィラー波であり、かつ受信レベルがＬＮＡ切替レベルを越えている場合は、上位レンジに切り替えられる。
【００７２】
このような構成によると、例えば、衛星波を受信している状態でこの衛星波がノイズ等によりＬＮＡ１１のダイナミックレンジの切り替えレベルであるＬＮＡを一時的に越えたとしても、ＬＮＡ１１のダイナミックレンジは、下位レベルに固定され、これによりＬＮＡ１１のダイナミックレンジの切り替えによる受信波の適正な復調ができなくなる事態を確実に防止することができる。
【実施例２】
【００７３】
実施例２においては、図１に示した構成において、制御部２３は、衛星波とギャップフィラー波との受信波の切替頻度に応じて、ＡＧＣ１３の時定数の切替制御を行う。
【００７４】
ＡＧＣ１３の時定数の切替制御は、制御部２３からの受信レベルのフィードバック制御により実現することができる。
【００７５】
図４は、この実施例２におけるＡＧＣ１３の時定数の切替制御を説明する図である。
【００７６】
図１０に示したように、図９に示した電界強度分布のフィールドをモバイル放送受信装置を携帯したユーザが地点Ａ、地点Ｂ、地点Ｃの順で移動した場合におけるモバイル放送受信装置の受信レベルは、ユーザが地点Ａから地点Ｂまで移動する間の領域Ｒ１においては、平均的にはギャップフィラー波 ＜ 衛星波の関係が成立し、また、ユーザが地点Ｂから地点Ｃに移動する領域Ｒ３においては、平均的にギャップフィラー波 ＞ 衛星波の関係が成立し、この領域Ｒ１や領域Ｒ３においては、ギャップフィラー波と衛星波のレベルの大小関係が逆転する可能性は低い。
【００７７】
これに対して、ユーザが地点Ｂの付近にある平均的にギャップフィラー波と衛星波とが略等しくなる領域Ｒ２においては、ギャップフィラー波と衛星波の受信レベル大小関係は、頻繁に変化する。
【００７８】
そこで、この実施例２においては、衛星波とギャップフィラー波との切替を最適に行うために、衛星波とギャップフィラー波との受信波の切替頻度が高い領域Ｒ２においては、ＡＧＣ１３の時定数を小さな値に切り替え、また、衛星波とギャップフィラー波との受信波の切替頻度が低い領域Ｒ１およびＲ３においては、ＡＧＣ１３の時定数を大きな値に切り替えることにより安定受信を実現している。
【００７９】
図５は、上記実施例２における制御部２３によるＡＧＣ１３の時定数の切替制御を示すフローチャートである。
【００８０】
図５において、図１に示したモバイル放送受信装置がモバイル放送の受信を開始すると、まず、受信ＡＧＣフラグＲｘＡＧＣＦｌａｇをＲｘＡＧＣＦｌａｇ＝０に設定する初期化を行う（ステップ５０１）。
【００８１】
次に、ＲｘＡＧＣＦｌａｇ＝１かを調べ（ステップ５０２）、ここでは、ＲｘＡＧＣＦｌａｇ＝０であるので、ＮＯと判断され、制御部２３は、ＡＧＣ１３に受信ＡＧＣ時定数を大きい値に切り替える制御情報を送信して、ＡＧＣ１３の受信ＡＧＣ時定数を大きい値に設定する（ステップ５０４）。
【００８２】
なお、ステップ５０２で、ＲｘＡＧＣＦｌａｇ＝１であると判断されると（ステップ５０２でＹＥＳ）、制御部２３は、ＡＧＣ１３に受信ＡＧＣ時定数を小さい値に切り替える制御情報を送信して、ＡＧＣ１３の受信ＡＧＣ時定数を小さい値に設定する（ステップ５０４）。
【００８３】
次に、新しい基地局のサーチを行い（ステップ５０５）、ここで、新しい基地局の切り替えが生じると（ステップ５０６でＹＥＳ）、この基地局が衛星局かギャップフィラーかの基地局の種別および切替時刻を記憶する（ステップ５０７）。なお、ここで、切り替えられた新しい基地局が、ギャップフィラー局である場合は、衛星波からギャップフィラー波への切り替えが行われ、また、切り替えられた新しい基地局が、衛星局である場合は、ギャップフィラー波から衛星波への切り替えが行われる。
【００８４】
また、ステップ５０６で新しい基地局の切り替えが生じない場合は（ステップ５０６でＮＯ）、ステップ５０８に進む。
【００８５】
ステップ５０８では、ステップ５０７で記憶した基地局の種別および切替時刻に基づき、衛星波とギャップフィラー波との切替頻度、すなわち、単位時間あたりの切替回数を求め、この切替回数が所定の閾値を越えているかを判断する（ステップ５０８）。
【００８６】
ここで、衛星波とギャップフィラー波との単位時間あたりの切替回数が所定の閾値を越えている場合は（ステップ５０８でＹＥＳ）、ＲｘＡＧＣＦｌａｇ＝１に設定し（ステップ５０９）、衛星波とギャップフィラー波との単位時間あたりの切替回数が所定の閾値以下の場合は（ステップ５０８でＮＯ）、ＲｘＡＧＣＦｌａｇ＝０に設定する（ステップ５１０）。
【００８７】
次に、モバイル放送の受信終了かを調べ（ステップ５１１）、モバイル放送の受信終了でないと（ステップ５１１でＮＯ）ステップ５０２に戻り、同様の処理を繰り返すが、モバイル放送の受信終了と判断されると（ステップ５１１でＹＥＳ）、このＡＧＣ１３の時定数の切替制御を終了する。
【００８８】
この図５に示したフローチャートの処理を図４を参照して説明すると、地点Ａで受信ＡＧＣフラグをＲｘＡＧＣＦｌａｇ＝０に設定する初期化が行われ（ステップ５０１）、ＡＧＣ１３の時定数は大きい値に設定される（ステップ５０２）。
【００８９】
ユーザが、地点Ｂの近くに達するまでの領域Ｒ１においては、ステップ５０８の判断において、ＮＯと判断され、ＲｘＡＧＣＦｌａｇ＝０の状態が続くので、ステップ５０２の判断ではＮＯと判断され、ＡＧＣ１３の受信ＡＧＣ時定数は大きい値を維持する。
【００９０】
しかし、ユーザが地点Ｂの近くの領域Ｒ２に進み、衛星波とギャップフィラー波との切替頻度が所定の閾値を越えると（ステップ５０８でＹＥＳ）、ＲｘＡＧＣＦｌａｇ＝１に設定され（ステップ５０９）、この場合、ステップ５０２の判断でＹＥＳと判断され、ＡＧＣ１３の受信ＡＧＣ時定数は小さい値に切替される。
【００９１】
その後、ユーザが領域Ｒ２を出て、領域Ｒ３に入ると、ステップ５０８でＮＯと判断されるので、ＲｘＡＧＣＦｌａｇ＝０に設定され（ステップ５１０）、ステップ５０２の判断でＮＯと判断され、ＡＧＣ１３の受信ＡＧＣ時定数は大きい値に切り替えられる。
【００９２】
つまり、衛星波とギャップフィラー波との受信波の切替頻度が低い領域Ｒ１およびＲ２においては、ＡＧＣ１３の時定数は大きな値に設定され、衛星波とギャップフィラー波との受信波の切替頻度が高い領域Ｒ２においては、ＡＧＣ１３の時定数は小さな値に設定される。
【００９３】
このような構成によると、衛星波とギャップフィラー波との切り替えを最適かつ安定して行うことが可能になる。
【００９４】
なお、この実施例２のＡＧＣ１３の時定数の切替制御は、単独で行ってもよいが、実施例１のＬＮＡ１１のダイナミックレンジの切替制御と組み合わせて行ってもよい。
【実施例３】
【００９５】
実施例３においては、静止軌道衛星からの衛星波およびギャップフィラーからのギャップフィラー波を更に安定して受信可能にするためにアンテナダイバシチ機能を用いた構成を採用する。
【００９６】
図６は、アンテナダイバシチ機能を採用したこの発明に係わるモバイル放送受信装置の他の実施例の要部を示すブロック図である。
【００９７】
図６においてアンテナダイバシチ機能は、アンテナ１０で受信した無線信号を処理するＲＦ部１００およびアンテナ３０で受信した無線信号を処理するＲＦ部３００を設け、ＲＦ部１００の出力若しくはＲＦ部３００の出力を制御部２３の出力に切り換えることにより実現される。
【００９８】
すなわち、図６において、ＲＦ部１００は、図１に示したＲＦ部１００と同様に、アンテナ１０で受信した無線信号を帯域ろ波するバンドパスフィルタ（ＢＰＦ）１１、ＢＰＦ１１の出力を低雑音増幅する低雑音増幅回路（ＬＮＡ）１２、ＬＮＡ１１の出力を自動利得制御する自動利得制御回路（ＡＧＣ）１３、ＡＧＣ１３の出力とローカル発振器１５の出力とをミキシングするミキサー回路１４、ミキサー回路１４の出力を低域ろ波するローパスフィルタ（ＬＰＦ）１６、ＬＰＦ１６の出力をアナログ／ディジタル変換するアナログ／ディジタル変換回路（Ａ／Ｄ）１７を具備して構成される。
【００９９】
また、ＦＲ部３００は、ＦＲ部１００と同様に、アンテナ３０で受信した無線信号を帯域ろ波するバンドパスフィルタ（ＢＰＦ）３１、ＢＰＦ３１の出力を低雑音増幅する低雑音増幅回路（ＬＮＡ）３２、ＬＮＡ３１の出力を自動利得制御する自動利得制御回路（ＡＧＣ）３３、ＡＧＣ３３の出力とローカル発振器３５の出力とをミキシングするミキサー回路３４、ミキサー回路３４の出力を低域ろ波するローパスフィルタ（ＬＰＦ）３６、ＬＰＦ３６の出力をアナログ／ディジタル変換するアナログ／ディジタル変換回路（Ａ／Ｄ）３７を具備して構成される。
【０１００】
ベースバンド部２００は、図１の構成と同様に、信号処理部２１、レベル観測部２２、制御部２３を具備して構成され、制御部２３は、Ａ／Ｄ１７の出力の復号処理のためのスクランブルコードの設定、レベル観測部２２で監視した受信波の受信レベルに基づくＬＮＡ１１のダイナミックレンジの切替制御、ＡＧＣ１３の時定数切替制御に加えて、ＲＦ部１００若しくはＲＦ部３００の出力の切替制御（アンテナダイバシチ機能）を行う。
【０１０１】
この制御部２３によるアンテナダイバシチ機能は、ＲＦ部１００の出力とＲＦ部３００の出力とでどちらが受信状態がよいかを判別し、この判別によりスイッチ４０を切り替えることにより行われる。
【０１０２】
さて、この実施例３においては、図６に示したアンテナダイバシチ機能を有する構成において、制御部２３は、受信波が衛星波であるかまたは受信レベルが予め設定した閾値以下である場合は、アンテナダイバシチ機能をＯＮにし、受信波がギャップフィラー波でありかつ受信レベルが上記閾値を越えている場合は、アンテナダイバシチ機能をＯＦＦに制御することで低消費電力化を図っている。
【０１０３】
このアンテナダイバシチ機能のＯＮ、ＯＦＦ制御は、制御部２３により、スイッチ４０の切替を行うか禁止するかの制御により行われる。
【０１０４】
図７は、この実施例３におけるアンテナダイバシチ機能のＯＮ、ＯＦＦ制御を説明する図である。
【０１０５】
図１０に示したように、図９に示した電界強度分布のフィールドをモバイル放送受信装置を携帯したユーザが地点Ａ、地点Ｂ、地点Ｃの順で移動した場合におけるモバイル放送受信装置の受信レベルは、ユーザが地点Ａから地点Ｂまで移動する間は、ギャップフィラー波および衛星波はともに受信レベルが小さい。これに対して、ユーザが地点Ｂから地点Ｃに移動する間は、ギャップフィラー波の受信レベルは高く安定している。
【０１０６】
つまり、ユーザが地点Ａから地点Ｂまで移動する間においては、アンテナダイバシチ機能は有効であるが、ユーザが地点Ｂから地点Ｃに移動する間は、アンテナダイバシチ機能はなくてもよい。
【０１０７】
しかしながら、通常は、アンテナダイバシチ機能を常にＯＮにしているので、ギャップフィラー波の受信レベルは高く、安定しているユーザが地点Ｂから地点Ｃに移動する間は、このアンテナダイバシチ機能のために不要な電力を消費する。
【０１０８】
そこで、この実施例３においては、受信波がギャップフィラー波でありかつ受信レベルが上記閾値を越えている場合は、アンテナダイバシチ機能をＯＦＦに制御することで低消費電力化を図っている。
【０１０９】
図８は、上記実施例３における制御部２３によるアンテナダイバシチ機能のＯＮ、ＯＦＦ制御を示すフローチャートである。
【０１１０】
図８において、図６に示したモバイル放送受信装置がモバイル放送の受信を開始すると、まず、ダイバシチフラグＤｉｖｅｒｓｉｔｙＦｌａｇをＤｉｖｅｒｓｉｔｙＦｌａｇ＝０に設定する初期化を行う（ステップ８０１）。
【０１１１】
そして、制御部２３は、スイッチ４０の切り替えを可能にするダイバシチＯＮ設定を行う（ステップ８０２）。
【０１１２】
次に、レベル観測部２２から受信レベルを検出し（ステップ８０３）、この検出した受信レベルが予め設定したダイバシチ閾値を越えているかを調べる（ステップ８０４）。ここで、受信レベルが予め設定したダイバシチ閾値を越えている場合は（ステップ８０４でＹＥＳ）、ＤｉｖｅｒｓｉｔｙＦｌａｇ＝１かを調べ（ステップ８０５）、ＤｉｖｅｒｓｉｔｙＦｌａｇ＝１であると（ステップ８０５でＹＥＳ）、制御部２３は、スイッチ４０の切り替えを禁止にするダイバシチＯＦＦ設定を行い（ステップ８０６）、次に、新しい基地局のサーチを行う（ステップ８０７）。
【０１１３】
なお、ステップ８０４で、受信レベルが予め設定したダイバシチ閾値であると判断された場合（ステップ８０４でＮＯ）若しくはステップ８０５でＤｉｖｅｒｓｉｔｙＦｌａｇ＝１でないと判断された場合は（ステップ８０５でＮＯ）、ダイバシチＯＦＦ設定を行うことなくステップ８０７へ進む。
【０１１４】
ステップ８０７の基地局サーチで、新しい基地局の切り替えが生じない場合は（ステップ８０８でＮＯ）、ステップ８０３に戻る。
【０１１５】
ステップ８０７の基地局サーチで、新しい基地局の切り替えが生じた場合は（ステップ８０８でＹＥＳ）、受信波が衛星波であるかギャップフィラー波であるかの判別に基づき基地局は衛星局かギャップフィラーかを調べる（ステップ８０９）。
【０１１６】
ここで、基地局が衛星局であると（ステップ８０９でＹＥＳ）、ＤｉｖｅｒｓｉｔｙＦｌａｇ＝０に設定し（ステップ８１０）、基地局が衛星局でなくギャップフィラーであると（ステップ８０９でＮＯ）、ＤｉｖｅｒｓｉｔｙＦｌａｇ＝１に設定する（ステップ８１１）。
【０１１７】
次に、モバイル放送の受信終了かを調べ（ステップ８１２）、モバイル放送の受信終了でないと（ステップ８１２でＮＯ）ステップ８０３に戻り、同様の処理を繰り返すが、モバイル放送の受信終了と判断されると（ステップ８１２でＹＥＳ）、このアンテナダイバシチ機能のＯＮ、ＯＦＦ制御を終了する。
【０１１８】
この図８に示したフローチャートの処理を図７を参照して説明すると、地点ＡでダイバシチフラグをＤｉｖｅｒｓｉｔｙＦｌａｇ＝０に設定する初期化が行われ（ステップ８０１）、アンテナダイバシチ機能はＯＮに設定される（ステップ８０２）。
【０１１９】
ここでは、受信レベルがダイバシチ閾値以下であるので（ステップ８０４でＮＯ）、基地局サーチが行われ（ステップ８０７）、基地局は衛星局であるので（ステップ８０９でＹＥＳ）、ＤｉｖｅｒｓｉｔｙＦｌａｇ＝０に設定される（ステップ８１０）。
【０１２０】
次に、ステップ８０３で受信レベル検出が行われ、ここで、受信レベルがダイバシチ閾値を越えていると判断されても（ステップ８０４でＹＥＳ）、ＤｉｖｅｒｓｉｔｙＦｌａｇ＝０に設定されているので（ステップ２０５でＮＯ）、アンテナダイバシチ機能はＯＦＦにはならない。
【０１２１】
しかし、ギャップフィラー波が衛星波より大きくなり、ギャップフィラー波を受信し、ステップ８０９で、ＤｉｖｅｒｓｉｔｙＦｌａｇ＝１に設定され、次の受信レベル検出で（ステップ８０４）、受信レベルがダイバシチ閾値を越えていると判断されてると（ステップ８０４でＹＥＳ）、ＤｉｖｅｒｓｉｔｙＦｌａｇ＝１に設定されているので（ステップ８０５でＹＥＳ）、アンテナダイバシチ機能はＯＦＦに切り替えられる（ステップ８０６）。
【０１２２】
つまり、アンテナダイバシチ機能は、受信波が衛星波であるか、または、受信レベルがダイバシチ閾値以下である場合は、ＯＮに制御され、受信波がギャップフィラー波であり、かつ受信レベルがダイバシチ閾値を越えている場合は、ＯＦＦに制御される。
【０１２３】
このような構成によると、受信波がギャップフィラー波であり、かつ受信レベルがダイバシチ閾値を越えているダイバシチ機能を用いなくても十分安定した受信が可能な状態においては、ダイバシチ機能はオフに制御されるので、これにより低消費電力化を図ることができる。
【０１２４】
なお、この実施例３においても、実施例３に示したアンテナダイバシチ機能のＯＮ、ＯＦＦ制御に加えて、実施例１に示したＬＮＡ１１（ＬＮＡ３１）のダイナミックレンジの切替制御および実施例２に示したＡＧＣ１３（ＡＧＣ３３）の時定数の切替制御の両者若しくはいずれかを組み合わせて制御してもよい。
【産業上の利用可能性】
【０１２５】
この発明は、静止軌道衛星からの放送電波若しくはギャップフィラーからの再送電波を受信レベルに応じて切替え受信するモバイル放送受信装置に利用可能である。
【０１２６】
この発明によれば、モバイル放送受信装置の受信状態に応じて、低雑音増幅器（ＬＮＡ）のダイナミックレンジ、自動利得制御回路（ＡＧＣ）の時定数、アンテナダイバーシチのＯＮ、ＯＦＦの内の少なくとも１つを切替制御するように構成したので、受信波の急激なレベルが生じても安定にモバイル放送を受信することができ、画像乱れ等からの復帰を早くし、かつ消費電力の低減化を図ることができる。
【図面の簡単な説明】
【０１２７】
【図１】この発明に係わるモバイル放送受信装置の一実施例の要部を示すブロック図である。
【図２】実施例１におけるＬＮＡのダイナミックレンジの切替制御を説明する図である。
【図３】実施例１における制御部によるＬＮＡ１１のダイナミックレンジの切替制御を示すフローチャートである。
【図４】実施例２におけるＡＧＣの時定数の切替制御を説明する図である。
【図５】実施例２における制御部によるＡＧＣの時定数の切替制御を示すフローチャートである。
【図６】アンテナダイバシチ機能を採用したこの発明に係わるモバイル放送受信装置の他の実施例の要部を示すブロック図である。
【図７】実施例３におけるアンテナダイバシチ機能のＯＮ、ＯＦＦ制御を説明する図である。
【図８】実施例３における制御部２３によるアンテナダイバシチ機能のＯＮ、ＯＦＦ制御を示すフローチャートである。
【図９】モバイル放送システムの一構成を示す図である。
【図１０】図９に示した電界強度分布のフィールドをモバイル放送受信装置を携帯したユーザが地点Ａ、地点Ｂ、地点Ｃの順で移動した場合におけるモバイル放送受信装置の受信レベルの一例を示す図である。
【符号の説明】
【０１２８】
１０    アンテナ
１１    バンドパスフィルタ（ＢＰＦ）
１２    低雑音増幅回路（ＬＮＡ）
１３    自動利得制御回路（ＡＧＣ）
１４    ミキサー回路
１５    ローカル発振器
１６    ローパスフィルタ（ＬＰＦ）
１７    アナログ／ディジタル変換するアナログ／ディジタル変換回路（Ａ／Ｄ）
２１    信号処理部
２２    レベル観測部
２３    制御部
３０    アンテナ
３１    バンドパスフィルタ（ＢＰＦ）
３２    低雑音増幅回路（ＬＮＡ）
３３    自動利得制御回路（ＡＧＣ）
３４    ミキサー回路
３５    ローカル発振器
３６    ローパスフィルタ（ＬＰＦ）
３７    アナログ／ディジタル変換するアナログ／ディジタル変換回路（Ａ／Ｄ）
１００    ＲＦ部
２００    ベースバンド部
３００    ＲＦ部
【図１】
2006279212.tif 000003
【図２】
2006279212.tif 000004
【図３】
2006279212.tif 000005
【図４】
2006279212.tif 000006
【図５】
2006279212.tif 000007
【図６】
2006279212.tif 000008
【図７】
2006279212.tif 000009
【図８】
2006279212.tif 000010
【図９】
2006279212.tif 000011
【図１０】
2006279212.tif 000012